(57)【要約】【課題】  耐環境性能を向上した撮像装置が求められている。【解決手段】  前ケース２の開口は押さえ部材３０により封止され、押さえ部材３０の開口は第１レンズ２３による封止される。前ケース２の封止に用いられるＯリング３４の内径は、第１レンズ２３の外径より大きく、Ｏリング３４の外径は、押さえ部材３０の内径より小さく構成される。Ｏリング３４は、押さえ部材３０がねじ込まれることで圧縮され、押圧された際の変形により、第１レンズ２３のコバ部、押さえ部材３０の内壁面で形成されるクリアランスが封止される。【選択図】  図１１
2004295119.tif 000002
【特許請求の範囲】
【請求項１】
固体撮像素子上に、光軸を一致させて配置されたレンズ群の内、少なくとも入射側に位置する広角レンズ群が鏡筒により光軸間隔を位置保持された状態で収納配置され、前記広角レンズ群のうち１枚目のレンズが光像入射領域を形成する凸状表面で形成してなる撮像装置本体を有する撮像装置において、
前記１枚目のレンズは、その外周面側に凸状表面側に向けて光軸と平行に延在させて形成した立上げ部と、該立上げ部基側よりレンズ光軸と直交する面内に沿って拡径されたリング円状平坦部とを有し、
一方前記鏡筒の先側には、その基側に設けた鏡筒係止部を介して１枚目のレンズの凸状表面を被写体側に突出するように前記鏡筒に固定された押さえ部材が設けられ、該押さえ部材は、前記環状開口の基側を拡径して前記リング円状平坦部と対面してなる押圧部位を有する第１のリング状段部を設け、該第１のリング状段部の前記押圧部位によるリング円状平坦部への押圧により、押さえ部材の開口が封止されていることを特徴とする撮像装置。
【請求項２】
前記押さえ部材の外周側にシールリングが載置される第２のリング状段部を設け、前記１枚目のレンズの凸状表面を含む押さえ部材の先端部側が撮像装置本体を収容するカメラケースの開口から突出するごとく前記第２のリング状段部に載置したシールリングが、カメラケース内面側支持面を押圧してカメラケースの開口が封止された状態で、撮像装置本体が該カメラケース内に収容固定されていることを特徴とする請求項１記載の撮像装置。
【請求項３】
前記第１のリング状段部の押圧部位が、リング円状平坦部と面接触にて接触して液密シールをおこなう面接触シール構造であることを特徴とする請求項１記載の撮像装置。
【請求項４】
前記第１のリング状段部の押圧部位とリング円状平坦部との間にシールリングを介在させて液密シールをおこなうシール構造であることを特徴とする請求項１記載の撮像装置。
【請求項５】
前記シールリングがＯリングであって、第１のリング状段部の押圧部位の、リング円状平坦部と対面する側にＯリング収納溝を設け、該収納溝の収納高さによりＯリングの規定圧を設定したことを特徴とする請求項４記載の撮像装置。
【請求項６】
前記シールリングがＯリングであって、前記押さえ部材の鏡筒と対面する位置に、Ｏリングの押圧量規制面を設け、該規制面に前記押さえ部材を係止させてＯリングの規定押圧を設定したことを特徴とする請求項４記載の撮像装置。
【請求項７】
前記シールリングがＯリングであって、前記１枚目のレンズの凸状表面外周縁に、Ｏリングの押圧量規制面を設け、該規制面に前記押さえ部材を係止させてＯリングの規定押圧を設定したことを特徴とする請求項４記載の撮像装置。
【請求項８】
前記１枚目のレンズと対峙する押さえ部材の環状開口頂面が１枚目のレンズの光像入射最大角度か若しくは光像入射最大角度から待避する方向に延在されていることを特徴とする請求項７記載の撮像装置。
【請求項９】
前記１枚目のレンズと対峙する押さえ部材の環状開口頂面が１枚目のレンズの凸状表面外周縁より低い位置で延在されていることを特徴とする請求項７記載の撮像装置。
【請求項１０】
前記１枚目のレンズは、その外周面側に凸状表面側に向けて光軸と平行に延在させて形成した２つの支持面を有し、第１の支持面が押さえ部材に対する支持面であり、第２の支持面が鏡筒に対する支持面であるとともに、該夫々の支持面が相手側部材により光軸方向に移動自在に光軸と直交する面内に位置規制されていることを特徴とする請求項１記載の撮像装置。
【請求項１１】
開口を備えたカメラケースと、
鏡筒に収納された広角レンズ群と、
環状の押え部により規定された開口を有する円筒形状の押さえ部材と、
前記押さえ部材の外周に設けた段部と、
前記広角レンズ群のうちの１枚目のレンズの撮像側に設けた所定の直径を有する立上げ部と、該立上げ部に連続して設けた光軸と略直交する平坦部と、を備え、
前記押さえ部材は前記１枚目のレンズの前記平坦部を押圧すると共に該１枚目のレンズによって該押さえ部材の開口が封止され且つ該１枚目のレンズの凸状表面が該押さえ部材の開口から該押さえ部材の外方に突出するように前記鏡筒の外周部に螺合固定され、
該螺合固定された押さえ部材はその先端部を前記カメラケースの開口から突出させ且つ該押さえ部材の前記段部によって該カメラケースの開ロが封止されるよう該カメラケースに収容固定されたことを特徴とする撮像装置。
【発明の詳細な説明】
【技術分野】
【０００１】
本発明は撮像装置に関し、特に耐環境性能を向上した広角用撮像装置に関する。
【背景技術】
【０００２】
近年、ＣＣＤ（charge-coupled device）やＣＭＯＳ（Coｍpleｍentary Metal-oxide Seｍiconductor）等の撮像素子の小型化等の性能向上に伴い、多様な用途、例えば屋外用途の撮像装置が実用化され、以下に示すような技術が提案されている。
【０００３】
特許文献１〜４には、レンズを収納・保持する樹脂材料で形成された鏡筒の周縁に形成したリング円状突起突起を１番目のレンズの前面側周縁部に被せるように熱溶着によりかしめる技術が開示されている。  
【０００４】
また、特許文献５〜８には、レンズ系に対する広い視野範囲を確保するものとして、１番目の凸状レンズの凸状表面をケース等から突出させる技術が開示されている。  
【０００５】
また、非特許文献１、特許文献８、及び、９には、水中カメラ等に用いられる技術であって、保護ガラスを用いずに１番目の広角レンズによって直接密閉封止するようにした技術が開示されている。  
【０００６】
更に、特許文献１０〜１２には、ケース開口を鏡筒で密閉封止する技術が開示されている。
【０００７】
【特許文献１】特開平０２−１９８４０３号公報
【特許文献２】特開平１１−３１３２３５号公報
【特許文献３】実開平０４−１０１５１１号公報
【特許文献４】特許第２６７９７８４号公報
【特許文献５】実開平０６−０５５８７１号公報
【特許文献６】特開平０２−２８０１０７号公報
【特許文献７】特開平０５−０７７２７２号公報
【特許文献８】実開平０２−０６４９２７号公報
【特許文献９】特開平０９−２６５０３５号公報
【特許文献１０】特開２００２−０９０６０３号公報
【特許文献１１】特開平０５−２４１２２７号公報
【特許文献１２】特開平０８−０２９８５１号公報
【特許文献１３】特開２００１−２９００８６号公報
【特許文献１４】実開昭６２−０１７０９１号公報
【特許文献１５】特開２０００−１７５０９１号公報
【特許文献１６】実開平０６−０６４２４４号公報
【特許文献１７】実開平０３−００６３７０号公報
【特許文献１８】特開平０５−１５４１０２号公報
【特許文献１９】特開２００２−０９０６０３号公報
【特許文献２０】実開平０３−００５１２０号公報
【特許文献２１】特開２００２−０９８８７８号公報
【特許文献２２】特開平０９−２６５０３５号公報
【特許文献２３】特開平０３−０７２７８９号公報
【特許文献２４】実用新案登録第３０８４２５９号公報
【特許文献２５】特開２００２−１３９６６２号公報
【特許文献２６】特開２００２−０９８８７４号公報
【特許文献２７】特開平０４−０５１１０５号公報
【特許文献２８】特開昭６３−１４１０１１号公報
【特許文献２９】特開２００２−２２１７５０号公報
【特許文献３０】特開２０００−２８４４２２号公報
【特許文献３１】特開平１０−１３３２６３号公報
【非特許文献１】写真工業、Vol.50、１992年、No.7、P.１１〜１2、新商品紹介
【発明の開示】
【発明が解決しようとする課題】
【０００８】
しかしながら、上述の提案の技術では、防水性能等の耐環境性能において必ずしも十分ではない場合があり、更なる技術改良が望まれていた。本発明はこうした現状に鑑みてなされたものであり、その目的は、耐環境性能等を改良した撮像装置を提供することにある。
【課題を解決するための手段】
【０００９】
そこで、本発明はかかる課題を解決するために、
本発明の撮像装置の装置本体側の態様は、固体撮像素子上に、光軸を一致させて配置されたレンズ群の内、少なくとも入射側に位置する広角レンズ群が鏡筒により光軸間隔を位置保持された状態で収納配置され、前記広角レンズ群のうち１枚目のレンズが光像入射領域を形成する凸状表面で形成してなる撮像装置本体を有する撮像装置において、
前記１枚目のレンズは、その外周面側に凸状表面側に向けて光軸と平行に延在させて形成した立上げ部と、該立上げ部基側よりレンズ光軸と直交する面内に沿って拡径されたリング円状平坦部とを有し、
一方前記鏡筒の先側には、その基側に設けた鏡筒係止部を介して１枚目のレンズの凸状表面を被写体側に突出するように前記鏡筒に固定された押さえ部材が設けられ、該押さえ部材は、前記環状開口の基側を拡径して前記リング円状平坦部と対面してなる押圧部位を有する第１のリング状段部を設け、該第１のリング状段部の前記押圧部位によるリング円状平坦部への押圧により、押さえ部材の開口が封止されていることを特徴とする。ここで光軸間隔とは、光軸方向におけるレンズ等の間隔をいう。
尚前記押さえ部材は、ねじ込み式でもよく、鏡筒の外周と嵌合して１枚目のレンズを光軸方向に押圧してもよい。１枚目のレンズは、２枚目のレンズの被写体側の所定面と当接することにより光軸方向の位置決めがなされてもよい。
又１枚目及び２枚目のレンズは、前記鏡筒と当接することにより光軸方向の位置決めがなされてもよい。また、１枚目のレンズの被写体側面に施すべきコーティングを廃してもよい。
【００１０】
また、前記撮像装置本体をカメラケースに収納固定する構成において、前記押さえ部材の外周側にシールリングが載置される第２のリング状段部を設け、前記１枚目のレンズの凸状表面を含む押さえ部材の先端部側が撮像装置本体を収容するカメラケースの開口から突出するごとく前記第２のリング状段部に載置したシールリングが、カメラケース内面側支持面を押圧してカメラケースの開口が封止された状態で、撮像装置本体が該カメラケース内に収容固定されているのがよい。
例えば前記カメラケースは、前ケースと後ケースとを有し、前記広角レンズ群、鏡筒および押さえ部材を含む機構を前ケースの開口を封止するように固定した後、前ケースの後面を後ケースによって封止してもよく、更に前記撮像装置本体にリング円状突起突起を設けるとともに、前記前ケースに突起受部を設けて、前記撮像装置本体は前記前ケースの所定位置に位置決めするのがよい。
【００１１】
又本発明の撮像装置の態様は、前記第１のリング状段部の押圧部位が、リング円状平坦部と面接触にて接触して液密シール、つまり密閉封止をおこなう面接触シール構造であってもよく、又前記第１のリング状段部の押圧部位とリング円状平坦部との間にシールリングを介在させて液密シールをおこなうシール構造であってもよいが、後者の場合は、Ｏリングを用いるのがよい。
特に前記シールリングがＯリングである場合に、Ｏリングを規定された押圧以上押すことがなく、Ｏリングの破損を防止するために、第１のリング状段部の押圧部位の、リング円状平坦部と対面する側にＯリング収納溝を設け、該収納溝の収納高さによりＯリングの規定押圧を設定するか、若しくは、前記押さえ部材の鏡筒と対面する位置に、Ｏリングの押圧量規制面を設け、該規制面に前記押さえ部材を係止させてＯリングの規定押圧を設定するか、更には、前記１枚目のレンズの凸状表面外周縁に、Ｏリングの押圧量規制面を設け、該規制面に前記押さえ部材を係止させてＯリングの規定押圧を設定するのがよい。
【００１２】
又本発明を自動車用の後方監視用防水カメラとして用いる場合に、１枚目のレンズに入射する光を妨げることがなく、広い視野角を確保が必要である。このように用いる場合は、前記押さえ部材の環状開口頂面が１枚目のレンズの光像入射最大角度（視野角）か若しくは待避する方向に延在されているか、又は、前記１枚目のレンズと対峙する押さえ部材の環状開口頂面が１枚目のレンズの凸状表面外周縁より低い位置で延在しても良い。
【００１３】
又前記広角レンズ群が鏡筒により光軸間隔を位置保持する場合に視野角が広いにかかわらず小型化を達成するために光軸間隔が狭小であり、そのため光軸及びその直交する面での精度保持は極めて重要である。
このため本発明では、前記１枚目のレンズは、その外周面側に凸状表面側に向けて光軸と平行に延在させて形成した２つの支持面を有し、第１の支持面が押さえ部材に対する支持面であり、第２の支持面が鏡筒に対する支持面であるとともに、該夫々の支持面が相手側部材により光軸方向に移動自在に光軸と直交する面内に位置規制されている。
そして、開口を備えたカメラケースと、鏡筒に収納された広角レンズ群と、環状の押え部により規定された開口を有する円筒形状の押さえ部材と、前記押さえ部材の外周に設けた段部と、前記広角レンズ群のうちの１枚目のレンズの撮像側に設けた所定の直径を有する立上げ部と、該立上げ部に連続して設けた光軸と略直交する平坦部と、を備え、前記押さえ部材は前記１枚目のレンズの前記平坦部を押圧すると共に該１枚目のレンズによって該押さえ部材の開口が封止され且つ該１枚目のレンズの凸状表面が該押さえ部材の開口から該押さえ部材の外方に突出するように前記鏡筒の外周部に螺合固定され、該螺合固定された押さえ部材はその先端部を前記カメラケースの開口から突出させ且つ該押さえ部材の前記段部によって該カメラケースの開ロが封止されるよう該カメラケースに収容固定されたことを特徴とする。
【発明の効果】
【００１４】
以上記載のごとく本発明により、防水性能等の耐環境性能において好適に適用される撮像装置を得ることができ、特に自動車に搭載する後方監視（後方視認カメラ）として有効である。
【発明を実施するための最良の形態】
【００１５】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１６】
図１は本実施の形態に係る撮像装置の断面図、図２は撮像ユニットの斜視図、図３は撮像ユニットの正面図、図４は前ケースに撮像ユニットを組み込んだ斜視図である。
図１に示す如く、本実施の形態の撮像装置１は前ケース２と後ケース３を備え、前ケース２と後ケース３との間にパッキン４を挿入して密閉封止し、図２に示す如く、ケース内に撮像ユニット１０を組み込んでいる。尚、前ケース２と後ケース３とは、前ケース２の図示しないボスに対して後ケース３の背面より後ケース３の図示しない孔を挿通したネジによるネジ止めにより固定される。
【００１７】
図５、図６は撮像ユニット１０の分解斜視図であり、図７は図３に示した撮像ユニット１０の正面図のＡ−Ａ線断面図である。撮像ユニット１０は被写体側から順に、撮像装置本体２０と、フォームリング４０と、調整用リング４２と、リング固定板４４と、レンズホルダ４６と、ＣＣＤ基板４８と、電源基板５０とを備える。
【００１８】
撮像装置本体２０（レンズアッシ）は、広角レンズ群として被写体側から順に第１レンズ２３、第２レンズ２４、絞り２９、第３レンズ２５、第４レンズ２６、第５レンズ２７、及び第６レンズ２８を備える。なお、本実施の形態においては、絞り２９と第３レンズ２５の間にはマスクを設け、レンズの有効光線から入射する光線を遮っているが、これは実際のレンズ性能に鑑み、増減または移動させてもよい。
【００１９】
第１レンズ２３は、光像入射側を凸状表面２３９で形成して図１０及び図１１の拡大図に示すように、外周部分が段カット構造となっており、具体的には凸状表面２３９外周面縁側に光軸と平行に延在させて形成した立上げ部である第１の段部２３１（第１の支持面）とその基端より拡径されＯリング３４載置用の平坦部２３０ａを有するリング状段突起２３０を備える。更にリング状段突起２３０の下側に第１の段部２３１より大径の第２の段部２３２（第２の支持面）を備えている。そして、レンズ２３の外周部分に設けられた段カット部分であるリング状段突起２３０上面のリング状平坦部２３０ａにＯリング３４が配設される。
一方、前記鏡筒３２の先側には、１枚目のレンズ２３の凸状表面２３９を被写体側に突出するように、その基側内周に設けた鏡筒螺合部３０２を介して前記鏡筒３２に螺合固定された押さえ部材３０が設けられている。該押さえ部材３０は、前記前記１枚目のレンズの凸状表面２３９外周縁に向けて狭口に設定した環状開口１９２の下側１９２ａを光軸方向に垂下させるとともに、その基側を（矩形状に）拡径した前記リング円状平坦部２３０ａと対面してなる押圧面３０１を有する第一のリング状段部３１０を備え、該第１のリング状段部３１０の前記押圧面３０１とリング円状平坦部２３０ａの挟圧により、押さえ部材３０が第１のレンズ２３を封止している。
第２の段部２３２は鏡筒３２先端内周側に設けた段部３２１に係止されており、その鏡筒３２の外周部分と螺合するねじ込み式の押さえ部材３０の環状の突起１９２によって、図１１に示すように第１レンズ２３はその第１の段部２３１とその凸状表面外縁２３４を介して略光軸ＯＡ方向に押さえられる。このとき、Ｏリング３４は、レンズ押さえ部材３０と第１レンズ２３のリング状段突起２３０上面のリング状平坦部２３０ａによって押圧される。なお、螺合以外の係止として、嵌合、かしめ、溶接等を例示することができる。
又、立上げ部である第１の段部２３１及び第２の段部２３２はその外周面側に凸状表面側に向けて光軸と平行に延在させてあるために、２つの支持面として機能し、即ち第１の段部２３１が押さえ部材３０の環状開口１９２の下側１９２ａと同径にして押さえ部材３０に対する支持面として機能させ、又第２の段部２３２は鏡筒３２先端内周側に設けた段部３２１より僅かに小径にし、鏡筒に対する支持面として機能する。
これによって、前記第１の段部２３１及び第２の段部２３２が夫々規定する支持面が相手側部材により光軸方向に移動自在に光軸と直交する面内に位置規制され、この状態でレンズ押さえ部材３０と第１レンズ２３が、Ｏリング３４を介して密閉封止がされ、防水性能が得られる。ここで、立上げ部２３１は、後述する通り、レンズ２３を外方へ突出させ、広い視野角を得るために有効なものであるが、上述の通り押さえ部材に対する支持面として機能させることもできる。
【００２０】
第４レンズ２６、第５レンズ２７、及び第６レンズ２８を保持するレンズ保持部材２２には、３本のキー溝２１が直線的に、かつ、レンズ保持部材２２の外周を３等分する位置関係で設けられている。なお、本図ではキー溝２１は１本で代表している。また、本実施の形態では３本に限定せず適宜に設けることができる。
【００２１】
フォームリング４０は、発泡ゴムを材料とし、環状の形状を有し、撮像装置本体２０に内挿される。調整用リング４２は、内側にねじ加工が施され、また、撮像装置本体２０に対して自由に回転可能に嵌合される。
【００２２】
リング固定板４４は、調整用リング４２を挟むように、第１及び第２タップタイトネジ８０および８２によって、撮像装置本体２０に固定される。このとき、調整用リング４２の回転自由度は維持されたまま、調整用リング４２が脱落しないよう設計が配慮されている。
【００２３】
レンズホルダ４６は、その内側に、レンズ保持部材２２に設けられた３本のキー溝２１とキー嵌合する３本のキー４７が直線的に設けられている。なお、本図ではキー４７は１本で代表している。また、本実施の形態では３本に限定せず適宜に設けることができる。
【００２４】
また、レンズホルダ４６は、その外周に所定の長さだけ、雄ねじ加工が施され、調整用リング４２の内側に施されたねじと螺合するように構成されている。したがって、調整用リング４２が回転すると、キー嵌合がガイドとなって、レンズホルダ４６は非回動のまま光軸方向に前後動する。
【００２５】
なお、レンズホルダ４６は、撮像装置本体２０と嵌合し設計上のピント位置となる直前の所定の位置となると、レンズホルダ４６の被写体寄りの端部は、フォームリング４０に当接する。レンズホルダ４６に押されてフォームリング４０が圧縮された際に発生する予張力により、調整用リング４２とレンズホルダ４６とが嵌合するねじ部および調整用リング４２の構造部全体が一方向に片寄せされ、ねじ部のバックラッシュや構成部品寸法ばらつきによる調整用リング４２格納部の寸法変化の影響を受けない。
【００２６】
リング固定板４４には、調整用リング４２の外周に対して平行となるような雌ねじ部４５が形成されている。この雌ねじ部４５にとがり先のリング固定ネジ５６を組み付け、調整用リング４２とリング固定板４４が一体化することで、ピントが確実に固定される。また、ピントの固定の際に鏡筒３２を直接固定しないため、レンズに負荷が直接かからない。したがって、レンズに歪みが生じず、撮像品位の低下が避けられる。
【００２７】
レンズホルダ４６には、第３及び第４タップタイトネジ８４及び８６によって、撮像素子であるＣＣＤが設けられたＣＣＤ基板４８が固定される。レンズホルダ４６は、上述の通り、撮像装置本体２０に対してキー嵌合しており、その位置の調整が調整用リング４２で行われ、それぞれの部品の精度を適切に管理することにより、いわゆる「垂直出し」または「アオリ調整」とよばれる位置あわせが不要となる。ＣＣＤ基板４８がレンズホルダ４６に対して垂直となるように取り付けることで、撮像面は、光軸方向に対して垂直となる。したがって、撮像面の調整は、光軸方向をＺ軸方向とした場合、Ｘ及びＹ軸方向、及び回転方向（θ）のみでよい。なお、上記タップタイトネジは、場合により、タッピンネジや普通ネジでもよい。
【００２８】
ＣＣＤ基板４８には、ＣＣＤ基板４８に電力を供給するとともに、ＣＣＤ基板４８が出力する信号を撮像ユニット１０の外部に出力する機能を備える電源基板５０が取り付けられる。撮像ユニット１０は、撮像装置本体２０に設けられる、第１及び第２外装止めネジ穴９２及び９４とで、前ケース２にねじ止めされる。
【００２９】
以上の構成により、レンズ自体を調整することなくピント調整が可能となり、調整作業の効率が向上する。また、調整用リング４２を用いることで、ピント調整、及び、レンズ光軸と撮像素子の所定の画素を一致させる、いわゆる「光軸調整」を独立して行うことが可能となる。さらに、ピント固定は、調整用リング４２を固定することで実現できるので、レンズに直接負荷がかからず、レンズに歪みが発生することが回避できる。
【００３０】
撮像装置本体（レンズアッシ）２０を詳述する。図８は撮像装置本体２０の断面図、図９は前ケース２の開口を押さえ部材３０と第１レンズ２３で封止した断面図である。撮像装置本体２０の被写体側には鏡筒３２が配置され、この鏡筒３２の被写体側には第１レンズ２３が配置され、第１レンズ２３の外周部分は段カット構造となっており、具体的には、第１レンズの凸状表面の外周面縁側に、光軸を平行させて延在させて形成した立上げ部と、その基端より拡径されＯリング載置用平坦部を有するリング状段突起を備え、該Ｏリング載置用平坦部にシーリング材であるＯリング３４が配置され、第１レンズ２３がＯリング３４を介して押さえ部材３０によって略光軸ＯＡ方向に押さえられる。ここでは、Ｏリング３４は、水素化ニトリルブタジエンゴム（ＨＮＢＲ： Hydrogenated Nitrile-Butadiene Rubber）で形成される。一般に、ニトリルブダジエンゴム（ＮＢＲ：Nitrile-Butadiene Rubber）は、その耐油性や耐候性により、防水カメラなどのシール材に用いられる。さらに、ＮＢＲの耐オゾン性や、耐熱性、耐候性を向上させ劣化寿命を延ばしたＨＮＢＲは、シーリング材としてより好適である。なお、第１レンズ２３の像面側の所定の面と第２レンズ２４の被写体側の所定の面とが当接することにより、第１レンズ２３の光軸ＯＡ方向の位置を規定している。
【００３１】
図９に示す如く押さえ部材３０の周縁部には第２のリング状段部である段５５が形成されており、その段５５に前述のものとは別のＯリング５４が配置される。前ケース２の開口に押さえ部材３０を挿入する際、撮像装置本体２０に設けた突起９１（図２に記載）が前ケース２の背面に設けた図示しない凹部に位置決めされ、撮像装置本体２０に設けた孔９０に挿通したネジにより前ケース２の背面に設けた図示しないボスにネジ止めすることで前ケース２の開口は、押さえ部材３０により封止される。
【００３２】
図１０、図１１は、図８の撮像装置本体２０の断面図に示す領域７０を拡大した図であり、撮像装置本体２０の開口を第１レンズ２３にて封止する構造を説明する。
【００３３】
第１レンズ２３は鏡筒３２の被写体側で保持、収納され、押さえ部材３０の端部には、内側に向かう小さな爪状かつ環状の突起１９２が設けられている。この押さえ部材３０を鏡筒３２にねじ込むことで、第１レンズ２３と押さえ部材３０の間に配置されたＯリング３４が押圧変形し、第１レンズ２３はその第１の段部２３１に位置された状態で押さえ部材３０の開口は第１レンズ２３により密閉封止される。このとき、以下の設計的配慮をする。
【００３４】
まず、Ｏリング３４の内径は、第１レンズ２３の第１の段部２３１外径より大きく、Ｏリング３４の外径は、押さえ部材３０の内径より小さく設計する。こうすれば、図１０に示すように押さえ部材３０を鏡筒３２にねじ込む前のＯリングは押圧変形することなく配置され、図１１に示す押さえ部材３０を鏡筒３２にねじ込んだ後においても、Ｏリング３４は、押さえ部材３０の内壁面や、第１レンズ２３のコバ部２３４（凸状表面外縁）との間で、大きな摩擦力を発生するような接触が避けられる。その結果、Ｏリング３４には不必要な回転方向の摩擦力やねじれの力が発生せず、ダメージを受けにくい。
【００３５】
さらに、光学設計上、レンズ内部の乱反射や逆光によるゴースト、フレア等を防止するために被写体側の第１レンズに反射防止用のコーティングを施すことが設計常識として確立している。しかしながら、屋外用などの撮像装置であって、第１レンズの表面が露出し且つ風等によりゴミなどがレンズ表面に当たりうる悪環境下の場合、第１レンズの表面のコーティングが一部剥がれ、撮影される画質の低下を引き起こす可能性があった。また、熱膨張によるコーティングのクラック等も同様の問題を引き起こす。そこで、本実施の形態においては、悪環境下で用いる撮像装置の場合、従来の設計常識に反し、第１レンズの外側のコーディングを廃し、かつその場合においてもゴースト、フレア等が発生しにくいレンズ構成としている。
【００３６】
尚、悪環境下で利用されない撮像装置であれば、当然ながら従来どおりコーティングを施してもよい。一方、屋内用であっても第１レンズに何らかの物体が当たる恐れがある場合、または環境温度の変化を受けやすい場合、第１レンズのコーティングを廃してもよい。
【００３７】
前ケース２の開口を押さえ部材３０により封止する構造を採用する本実施の形態の撮像装置は、例えば前述の特許文献１０の図１１に開示される、前ケースの開口を鏡筒により封止する構造のものと比較し、以下の作用効果上の違いを奏する。
【００３８】
以上が本発明のひとつの実施の形態である。この実施の形態は例示であり、それらの各構成要素やその組合せにいろいろな変形が可能なこと、またそうした変形例も本発明の範囲にあることは当業者に理解されるところである。以下、変形例を挙げる。
【００３９】
（１）温度特性
屋外用のカメラでは、露出部分が直接外気に晒されたり、直射日光を受けるため、温度変動が大きい。鏡筒がケース外に露出する構造だと、レンズ鏡筒に温度変動による歪み、捩れ、変形が生じ、レンズの取り付け位置精度が落ちる。鏡筒は本来、１／１００ｍｍ以下のずれで光学性能に影響が出るほど精妙である。
一方、本実施の形態のように鏡筒がケースより露出しない構成であれば、押さえ部材３０が多少変形してもレンズの取り付け位置精度に影響がない。レンズの取り付け位置精度は鏡筒により補償されている。なお、レンズ押さえ部材３０をアルマイト加工したアルミ材やステンレス材等の金属材料で構成することにより熱による変形をさらに防止できる。
【００４０】
（２）強度
屋外用のカメラ、特に車載カメラは洗車やメンテナンスの際にカメラ部分に力が加わることがある。鏡筒が外部に露出していると、鏡筒に直接力が加えられ変形し、レンズ取り付け位置精度に影響しうる。一方、本実施の形態のように鏡筒がケースから露出しない構成であれば、力はむしろ押さえ部材３０に加わり、鏡筒に加わる力が抑えられ、鏡筒の変形が抑えられる。そのため、レンズの取り付け位置精度に影響が出にくい。なお、レンズ押さえ部材３０を前述の金属材料で構成すれば、外部からの衝撃による変形をより防止できる。
【００４１】
（３）薬品耐性
屋外用のカメラ、特に搭載カメラ等では、ワックス等の油脂、オイルに晒され易く、ポリマー等の腐食性のある薬品により腐食されうる。鏡筒が露出する構成では鏡筒の腐食によるレンズ取り付け位置精度の低下が懸念されるが、本実施の形態では鏡筒がケースから露出しないので、鏡筒の腐食は防止され、レンズの取り付け位置精度が維持できる。なお、レンズ押さえ部材３０を前述の金属材料で構成すれば、腐食をより防止できる。
【００４２】
（４）耐タンパー性
屋外用のカメラ、特に車載カメラ等は、外部からのいたずらを想定する必要がある。鏡筒が露出する構成だと、鏡筒に直接力が加わり、レンズずれが生じる。また、熱溶着の部分をカッター等で切り込んだり、はがされたりすることにより第１レンズが外れるおそれがある。一方、本実施の形態では鏡筒がケースから露出しないので、ケースを開けない限り第１レンズは外れず、耐久性に優れる。なお、レンズ押さえ部材３０を前述の金属材料で構成すれば、さらに耐タンパー性能が高まる。
【００４３】
（５）経時特性
経時変化により装置の各部材は劣化する。特に外部に露出している部分の劣化は内部の部材に比べて速い。鏡筒が露出し、熱溶着によりレンズを鏡筒に押さえている構成では、押さえ部分がクリープ破壊し、レンズが外れる懸念がある。一方、本実施の形態では鏡筒がケースから露出せず、第１レンズが外れにくく、経時変化に強い。なお、レンズ押さえ部材３０を前述の金属材料で構成すれば、さらに経時変化に強くなる。
【００４４】
（６）保守性
レンズが鏡筒に熱溶着によりかしめられる構成では、保守整備の際、レンズと鏡筒を一体交換しなければならずコストがかかるが、本実施の形態では鏡筒に一体的に第１レンズを固定していないので、レンズ、鏡筒及び押さえ部材を別個に交換することができ、コスト面で有利である。
【００４５】
（７）製造容易性
鏡筒にレンズを熱溶着により押さえる構成では、熱溶着で固定する部品すべての寸法ばらつきが重なるため、レンズかしめを行うべきレンズの高さにばらつきが出て、かしめ強度を一定に保つことが困難であるが、本実施の形態の構成であれば、鏡筒へのレンズの固定が熱によらないため、レンズの取り付け位置は部品の寸法ばらつきに依存せず、工程管理や歩留まりで有利である。なお、レンズ押さえ部材３０を前述の金属材料で構成すれば、さらにレンズの取り付け位置精度が向上する。
【００４６】
（８）防水性能
一般にＯリングによる密閉封止、すなわちシーリングを行う際、Ｏリングが押圧変形された際の圧縮率を、下限として８％、上限として４０％を目安にするが、使用するＯリングの線径により圧縮率の管理値を変えていくのが好ましい。即ち、線径が小さい場合、密着面積を増大させるために圧縮率を大きくとり、逆に線径が大きい場合、必要以上の密着面積をとる必要がないため、圧縮率は小さくともよい。圧縮率は、一般には公差や経年劣化を考慮して設定される。
【００４７】
一方、メーカー等の一般公表資料によれば、Ｏリングによる防水は、線径２ｍｍ以下では圧縮率が１５％〜４０％、線径２〜４ｍｍ未満では圧縮率１０％〜３０％、線径４ｍｍ以上では圧縮率８％〜２０％がよいとされる。本実施の形態では、圧縮永久歪を考慮し、高圧縮側に５％のマージンを持たせ、圧縮率の管理値を１５％〜３５％としている。
【００４８】
このように、Ｏリングによる密閉封止の際、圧縮率を厳しく管理しなければならないが、レンズを熱溶着により鏡筒に押さえる構成では、前述のごとく、レンズ構成部品の寸法ばらつきにより、かしめ部分の高さが変動するため、熱溶着治具により一定のかしめ量が確保し辛く、結果としてＯリングの圧縮率がばらつきを生じ、所望の防水性能を実現することが困難である。一方、本実施の形態の構成であれば、押さえ部材のねじ込み量やねじ込み力を管理することでＯリングの圧縮率を極めて容易に管理できるため、歩留まりよく、所望の防水性能を備えることができる。
【００４９】
なお、レンズ押さえ部材３０を前述の金属材料で構成すれば、さらに厳密にＯリングの圧縮率を管理できる。また、寸法精度も一般の樹脂成型品と較べ向上するので、圧縮率の管理もさらに容易となる。
【００５０】
（９）小型化
レンズを熱溶着により鏡筒に押さえる構成では、上述のようにＯリングの圧縮率の管理が困難であるため、Ｏリングの径が所定以上のものしか採用できず、小型化が困難である。一方、本実施の形態の構成であれば、極めて小径のＯリングを採用でき、装置をより小型に設計できる。この場合も、レンズ押さえ部材３０を前述の金属材料で構成すれば、さらに厳密にＯリングの圧縮率が管理できるので、更なる小型化に寄与する。
【００５１】
（１０）耐振動性能
レンズを熱溶着により鏡筒に押さえる構成では、特に車載カメラ等の場合、車両その他の振動によりこの押さえが外れる懸念がある。一方、本実施の形態の構成では、このような問題は生じない。
【００５２】
（１１）その他
本実施の形態の構成では、上記の他に、押さえ部材のみを変更することにより、異なる開口寸法を有するケースに対応できるため設計の自由度が高い。また、外に露出する押さえ部材を上述の金属等で形成することにより、押さえ部材に彫刻シルク印刷などを施すことができ、また装飾用の処理などを施すことにより、美観の向上が容易である。
【００５３】
本実施の形態の撮像装置はさらに、例えば前述の特許文献１０や特許文献５に開示の前ケースの開口を第１レンズにより封止する構造のものと比較し、以下の作用効果上の違いを奏する。
【００５４】
上述の従来技術は、第１レンズが一般に樹脂で成形される前ケースにより取り付け位置精度が確保される。一方、第２レンズ以降のレンズは、同じく一般に樹脂で成形される鏡筒に保持、収納されてはいるが、この鏡筒自体が前ケースに取り付けられる構造のため、第２レンズ以降の位置精度は、鏡筒自体の精度に加えて、鏡筒と前ケースとの取り付け位置精度の分、悪化する。そのため、第１レンズと第２レンズ間の精度が悪化し、光学系の性能に改善の余地が認められる。一方、本実施の形態では、第１レンズと第２レンズ間がそれぞれのレンズの面精度で決定できるため、非常に光学系精度の高い撮像装置が実現する。
【００５５】
以上が本発明の実施の形態である。この実施の形態は例示であり、それらの各構成要素やその組合せにいろいろな変形が可能なこと、またそうした変形例も本発明の範囲にあることは当業者に理解されるところである。
【実施例２】
【００５６】
例えば図１２（ａ）はＯリング３４を配置しない防水カメラ用撮像装置本体（レンズアッシ）の構成で、１枚目のレンズ２３Ａと押さえ部材３０Ａとの間を直接面接触にて封止したもので、前記押さえ部材３０Ａの第１のリング状段部３１０の押圧面３０１が、リング円状平坦部２３０と面接触にて接触して液密シールをおこなう面接触シール構造を持っている。
【００５７】
即ち第１レンズ２３Ａは、光像入射側を凸状表面２３９で形成し、凸状表面２３９外周面縁側に光軸と平行に延在させて形成した立上げ部である第１の段部２３１（第一の支持面）とその基端より拡径されＯリング３４載置用の平坦部２３０ａを有するリング状段突起２３０とリング状段突起２３０の下側に第１の段部２３１と同径の第２の段部２３２（第２の支持面）を具えており、そのリング状段突起２３０上面のリング状平坦部２３０ａに押さえ部材３０が面接触されて封止される。
【００５８】
図１２（ｂ）はＯリング３４を配置した防水カメラの構成で、押さえ部材３０Ｂの第１のリング状段部３１０の押圧面３０１に、リング円状平坦部２３０と対面する側にＯリング収納溝３０１０を設け、該収納溝３０１０の収納高さによりＯリング３４の規定圧を設定している。かかる構成によれば、前記押さえ部材３０Ｂの第１のリング状段部３１０の押圧面３０１のリング円状平坦部２３０ａと接触する面にてＯリング３４の規定圧を設定してＯリング３４のつぶれを防止している。
又前記図１２（ａ）、（ｂ）において、いずれも押さえ部材３０Ａの頂面高さが第１レンズ２３Ａを凸状表面２３９外縁より低い位置に設定できるために、１枚目のレンズ球面（凸状表面２３９）に入射する光をさえぎらないようにでき、画角を広くすることができる。
特に図１２（ｂ）の防水カメラの構成では、押さえ部材３０Ａの第１のリング状段部３１０の押圧面３０１が、Ｏリング３４を包むように１枚目のレンズの平坦部２３０ａと面接触しているので、Ｏリング３４を規定された押圧以上押すことがなく、Ｏリング３４の破損を防止できる。
【００５９】
図１２（ｃ）の防水カメラ用撮像装置本体の構成は、押さえ部材３０Ｃの基端を鏡筒先側の段部３２２に支持させて、押さえ部材の光軸方向の移動を規制する規制部を設けているものである。
即ち、押さえ部材３０Ｃ基側は、前記押さえ部材の鏡筒と対面する位置で、鏡筒３２Ｃの段部３２２に当接するように螺合させてＯリング３４の押圧量規制面として構成し、一方、前記押さえ部材３０Ｃの先側の環状開口１９２の開口縁が１枚目のレンズの光像入射最大角度か若しくはそれ以上の角度に延在して設定されている。
【００６０】
また図１２の（ｄ）の構成は、押さえ部材の基端側をリング状溝３２３内に収納するように鏡筒先側を形成するとともに、押さえ部材の外周部側面にリング状突出部３０１１を拡径させて押さえ部材３０Ｄの光軸方向の移動を規制する構成である。
【００６１】
従って図１２（ｃ）、（ｄ）の構成では、前記押さえ部材の鏡筒と対面する位置に、Ｏリングの押圧量規制面を設け、該規制面に前記押さえ部材を係止させてＯリングの規定圧を設定したために、Ｏリングを規定された押圧以上押すことがなく、Ｏリングの破損が防止できる。
【実施例３】
【００６２】
図１３は防水カメラ用撮像装置本体の他の実施例で、前記１枚目のレンズ２３Ｅが、その外周面側に凸状表面側に向けて光軸と平行に延在させて形成した２つの支持面２３１、２３２を有し、第１の支持面２３１が押さえ部材３０に対する支持面であり、第２の支持面２３２が鏡筒３２に対する支持面であるとともに、該夫々の支持面２３１、２３が相手側部材により光軸方向に移動自在に光軸と直交する面内に位置規制されている点は図１０及び図１２と同様である。
即ち第１レンズ２３Ｅは、光像入射側を凸状表面２３９で形成し、凸状表面２３９外周面縁側に光軸と平行に延在させて形成した立上げ部である第１の段部２３１（第一の支持面）とその基端より拡径され、Ｏリング３４載置用の平坦部２３０ａを有するリング状段突起２３０とリング状段突起２３０の下側に第１の段部２３１より小径の第２の段部２３２（第２の支持面）を具えており、そのリング状段突起２３０上面のリング状平坦部２３０ａに押さえ部材３０がＯリング３４を介して封止されている。
【００６３】
そして本実施例においては押さえ部材３０Ｅ先側の環状開口１９２を、前記前記１枚目のレンズの凸状表面２３９外周縁に接触させてもよく（図１３（ａ）（ｄ））、又第１の段部２３１（第一の支持面）に環状開口１９２を接触若しくは非接触で対峙させてもよい。
即ち図１３（ａ）は、押さえ部材３０Ｅの環状開口１９２の周縁側が１枚目のレンズ２３Ｅの光像入射最大角度から待避する方向に下向きに延在されており、１枚目のレンズに入射光が開口縁によって妨げないように構成して広い視野角を確保するとともに、且つ１枚目のレンズ３４Ｅの第２の段部２３２を鏡筒３２Ｅ内周に嵌合させて、光軸のずれを防止している。
図１３（ｂ）は、１枚目のレンズ２３Ｅの第１の段部２３１が押さえ部材３０Ｅの環状開口１９２により摺動自在に支持され（第１の支持面）、第２の段部２３２は鏡筒３２Ｅの内周面で支持される（第２の支持面）構成である。
かかる実施例によれば、１枚目のレンズ３４Ｅは、押さえ部材３０Ｅと鏡筒３２Ｅで支持されるので、１枚目のレンズ３４Ｅ、押さえ部材３０Ｅ及ぴ鏡筒３２Ｅの熱膨張率に差があったとしても、１枚目のレンズ３４を押さえ部材３０Ｅ、又は、鏡筒３２Ｅのどちらか一方もしくは両方で支持されるので、光軸のずれを確実に防止できる。
図１３（ｃ）の防水カメラ用撮像装置本体の構成は、図１３（Ｂ）の変形例であり、１枚目のレンズ２４Ｅが、押さえ部材３０Ｅの内壁面と１枚目のレンズのリング状段突起２３０の外周面で支持され（第１の支持面）ている点で、図１３（ｂ）の構成と異なる。
かかる実施例によれば押さえ部材３０Ｅの内周面３０１で１枚目のレンズ２４Ｅを支持しているので、図１３（ｂ）の押さえ部材の環状開口１９２の開口縁で１枚目のレンズ２３Ｅを支持するより、特に径方向の力に対して強固に支持することができる。
図１３（ｄ）の構成は、押さえ部材３０Ｅの被写体側先端に設けた環状開口１９２の開口縁の形状を、１枚目のレンズに入射する光の入射角にあわせている構成である。
したがって、１枚目のレンズ２３Ｅの凸状表面２３９外縁部で押さえ部材３０Ｅの環状開口１９２により押圧する場合に、レンズに入射する光の入射角に合わせて環状開口縁の形状を構成でき、広い視野角を確保することができると共に、レンズに入射する光の入射角を狭めない範囲で押さえ部材のリング円状突起１９２の厚みを厚くして強度性の向上を図ることができるとともに、外部からの強い衝撃によって破損することを防止できる。
【００６４】
即ち図１４の比較例で示すように、環状開口１９２の開口縁の押さえ環１９２Ｆによる１枚目のレンズ２３Ｆの凸表面２３９Ｆの押さえでは、光線に制約を作り後方監視のカメラの最大の必要条件である画角（光像入射最大角度）の制約を作ってしまう。しかるに図１３の実施例では、１枚目のレンズ２３Ｅの凸状表面１９２を押圧するのではなく、１枚目のレンズ２３Ｅの画角から外れた外周縁か、前記第１の段部２３１周面か、又はリング状突起２３０周面を押圧することによって視野角の制限を無くすることが出来る。従って本実施例によれば、視野角を所望の程度確保することが出来、かつ配置上制約の多い先端部外径の大きさを小さくすることができる。
【００６５】
また、図１４の比較例のように、１枚目のレンズ２３Ｆの凸状表面を押さえ部材３０Ｆの環状開口縁で押圧する方式では、環状開口縁に過大な応力が発生し環状開口縁の強度が要求される。この応力による環状開口縁の変形を防止するため、環状開口縁の強度を増さなければならない。強度を増すためには押さえ環の板厚を大きくしなければならない。すると、１枚目のレンズに入射する画角が必然的に制限され、後方監視カメラの特徴である広角視野を犠牲にしなければならなくなるという欠点を有す。
【００６６】
さて図１５に示すように、１枚目のレンズ２３の設計で、１枚目のレンズ２３の第１の段部２３１の基部に連なるリング状突起２３０の接続点に印加される押圧力は規定した規格３５０Ｎ／ｍ２（ニュートン・パー・平方メートル）を越えないように設計する必要があり、特に、１枚目のレンズ２３の側面に設けたリング状突起２３０の厚みＴを、０．７ｍｍ以上で構成しなければならない。
従って前記第１の段部２３１も０．７ｍｍ以上で構成するのがよく、具体的にはＯリング３４の径の長さ、及び、押さえ部材の押さえ部の光軸方向の長さから算出される。
例えばＯリング３４は、１５〜４０％の値で押さえ部材３０に圧縮されるので、Ｏリングの径を仮に防水性の観点から０．６ｍｍとすると、Ｏリングのつぶされたときの光軸方向の長さ（潰し径Ｘ）は、０．４３５ｍｍとなる。（圧縮率は１５％で計算）
そして前記押さえ部材３０を成形プラスチックで形成した場合に前記圧縮率を達成するに必要な押さえ部材のＯリング押さえ面側の厚みＹとその幅Ｚは、Ｚ＊Ｘ＞（０．６／２）２πよりＺ＞０．６５が導き出され、Ｙ＝√０．９１＊Ｚより、Ｙ＞０．７６９１が導き出される。
従って、立上部の光軸方向の長さＳは、
Ｓ＞０．４３５＋０．７６９１＝１．２０４１ｍｍが最小の長さとなることが理解される。
【００６７】
（第１の実施形態に関する詳細説明（封止構造））
さてここで、第１の実施形態に関して、封止構造でありながら広角の撮像を可能にした点について詳細に説明する。
図１６は、第１の実施形態の中でも図１から図１１に示したＯリングを用いて密閉封止した実施形態に対して、Ｏリングを用いずに密閉封止ではなく単なる封止をした構造の撮像装置を示したものである。
図１６によれば、第１レンズ７００は、その被写体側に広角撮影のための凸状表面７０２を有すると共に、その撮像側（図示しない撮像素子側）に結像レンズ面７０７を有する。また、第１レンズは被写体側から順に直径ｒの第１径部７０１と、ｒ’＞ｒなる直径ｒ’の第２径部７０４と、ｒ＜ｒ’’＜ｒなる直径ｒ’’第３径部７０９とを有している。これら径部により、第１レンズ７００の被写体側に所定の径（直径ｒ）を有すると共に所定の立ち上げ長さｌの立上げ部７２１が形成される。また、これら径部により立上げ部７２１に連続して光軸と略直交する長さｌ’の平坦部が形成される。
また、第１レンズ７００は、鏡筒７０６に形成した第１レンズの位置決め用の突出部７１１が第１レンズ７００の撮像側の第２径部７０４と第３径部７０９とで形成される段部を位置決めすることにより、鏡筒７０６に位置決め収容される。
【００６８】
更に、第１レンズ７００は、その被写体側に配置したリング状の押え部７０５によって第１レンズ７００の平坦部７０３を撮像側に押圧されることにより、鏡筒７０６に押圧固定される。この押さえ部材７０５は鏡筒７０６の外周部に螺合固定され、また、図示していないが押さえ部材７０５の外周には段部が設けられており、同じく図示しないカメラケースの開口から押さえ部材７０５が突出すると共に、押さえ部材７０５の前記段部がカメラケースの開口に挿通するようにしてカメラケースの開口が封止される。
また、押さえ部材７０５の被写体側の内周は第１レンズ７００の外周部に沿って延在配置されるよう構成されており、特に第１レンズ７００の立上げ部７００の立上げ部７２１の外周のほぼ全域にわたって押さえ部材７０５の内周面７２４が形成されている。
【００６９】
ここで、特に高い封止性能を求められる撮像装置の場合、第１レンズ７００を鏡筒７０６に押圧固定する押圧力を高く保持することが求められている。このため、第１レンズ７００を鏡筒７０６に押圧する押さえ部材７０５は、第１レンズ７００の平坦部７０３を高い押圧力で保持し続けるために、肉厚ｍを大きく確保する必要がある。この肉厚ｍが薄い場合だと、第１レンズ７００を押圧保持する能力が低くて十分な封止性能が得られないか、当初は十分な封止性能を得ていても経時変化を強く受けてしかる後に十分な封止性能が得られなくなる。
従って、求められる封止性能や押さえ部材の材質にもよるが第１レンズ７００を押圧保持する押さえ部材７０５の肉厚ｍはある程度以上の大きさを備えていなくてはならない。
【００７０】
ここで、第１レンズ７００の代わりに、立上げ部７２１を有しない第１レンズ７２２を用いた揚合、同様に封止性能を確保した肉厚ｍを有した押さえ部材７０５を使用すると広角性能を著しく損なう例を同図１６に示す。
第１レンズ７２２の被写体側の凸状表面を図１６の点線７２２として示す。この揚合の撮像装置の最大の広角視野は線７２３の通りになる。つまり、線７２３より広角の光束は押さえ部材７０５の側面７２４にて遮られ、その分広角視野を狭める結果となる。ここで、封止性能を求めるほどより肉厚の押さえ部材７０５を使用しなければならないため、封止性能と視野角度との両立は困難なものとなる。
一方、立上げ部７２４を備える第１レンズ７００の場合の撮像装置の最大の広角視野は線７０８になり、立上げ部を有しない第１レンズ７２２の場合と比較し、押さえ部材７０５の側面７２４に遮られることがなく、著しい広角視野を得られるものとなる。
つまり、立上げ部７２４を封止性能を満たすに十分な押さえ部材７０５の肉厚ｍ相当かそれ以上とすることにより、十分な封止性能を確保しつつ且つ、高い広角視野を実現できることになる。
【００７１】
ここで、第１レンズ７００として光軸に垂直な断面が円形状のものを実施形櫨として示したが、本発明は被写体を図示しない撮像素子に結像できる光学系を形成することが可能であれば楕円形状や四角形状などであってもよいことは言うまでもない。
また、第１レンズ７００として第３径部７０９が第１径部７０１より径が大で且つ第２径部７０４より径が小のものを実施形態として示したが、本発明は第３径部７０９の径の大小に限定されるものでなく、第１レンズ７００が鏡筒７０６に位置決め保持されている構造であれば第３径部７０９を有しないものであってもよいことは言うまでもない。また、第１レンズ７００が直接鏡筒７０６に位置決めされている必要はなく、例えば、図示しない第２レンズが鏡筒７０６に位置決め収容されており、第１レンズ７００が図示しない第２レンズにより位置決めされ鏡筒７０６に収納されているような、間接的に位置決めされている場合であってもよい。
【００７２】
（第１の実施形態に関する詳細説明（密閉封止構造））
第１の実施形態に関して、シーリング材としてＯリングを用いた密閉封止構造でありながら広角の撮像を可能にした点について詳細に説明する。
図１７は、第１の実施形態の中でも図１から図１１に示したＯリングを用いて密閉封止した実施形態について、十分な密閉封止性能を確保しつつ且つ、高い広角視野を実現できることを説明する図である。
尚、図１７中、図１６と同一の符合を付加したものは同一の内容を示すため、説明を省略する。
図１７は、図１６と同様に立上げ部７２１を有する第１レンズ７００を用いたものであるが、Ｏリング７１２を第１レンズ７００の平坦部７０３と押さえ部材７０５の間に配置する他、第１レンズ７００の平坦部７０３を撮像側に押圧保持する押さえ部材７０５の第１レンズ７００の凸状表面７０２側の先端に突起７０１を有している点が図１６との差異である。
【００７３】
ここで、押さえ部材７０５は、第１レンズ７００の平坦部７０３をＯリング７１２を介して押圧保持することにより、相応の求められる密閉封止性能を得るべく相応の肉厚ｍを有するよう構成されている。
特に高い密閉封止性能を求められる撮像装置の場合、Ｏリング７１２を介して第１レンズ７００を鏡筒７０６に押圧固定すると共に、密閉封止のため相応の圧縮比でＯリング７１２を圧縮ナる必要がある。このため、Ｏリング７１２を介して第１レンズ７００を鏡筒７０６に押圧する押さえ部材７０５は、第１レンズ７００の平坦部７０３を高い押圧力で保持し続けるため、且つ、Ｏリング７１２を相応の圧縮比で圧縮保持するために、肉厚ｍを大きく確保する必要がある。この肉厚ｍ.が薄い場合だと、第１レンズ７００を押圧保持する能力が低かったり、Ｏリング７１２を相応の圧縮比で圧縮できなかったりの問題を生じ、求める密閉封止性能を得ることはできない。また、当初は十分な封止性能を得ていても経時変化により押さえ部材７０５の変質等を生じて、その押圧保持能力が低下して十分な封止性能が得られなくなることも起こり得る。
従って、求められる封止性能や押さえ部材の材質にもよるがＯリング７１２を介して第１レンズ７００を押圧保持する押さえ部材７０５の肉厚ｍはある程度以上の大きさを備えていなくてはならない。
【００７４】
次に、前述した第１レンズ７００の平坦部７０３を撮像側に押圧保持する押さえ部材７０５の第１レンズ７００の凸状表面７０２側の先端に配置した突起７０１について説明する。
この突起７０１は、図１０及び図１１に示した環状の突起１９２と同じ部材である。この突起７０１（突起１９２）は、確かに第１レンズ７００の凸状表面７０２に当接してこれを撮像側に押圧する作用を奏するが、実際に押圧するのはこの突起７０１（突起１９２）の部分ではなく、図１７にてＯリング７１２の楕円形状上部（被写体側）にてＯリング７１２を押圧変形させる押さえ部材７０５の撮像側面部７２６になる。このため、突起７０１（突起１９２）の主な用途は押圧ではなく以下に説明するところのＯリング７１２の圧縮比設定にある。
前述したようにＯリング７１２は、本実施形態にて、圧縮比の管理値を１５％から３５％で管理する必要がある。このため従来は、押さえ部材７０５を螺合固定する際、押さえ部材７０５の螺合量（ねじ込み回転数）や押さえ部材７０５のねじ込みによる移動量などを本撮像装置の製造工程にて検出し、規定の検出量までねじ込みを行うことで図１７の寸法ｎを一定にし、結果としてＯリング７１２の圧縮比を管理していた。
ここで、この螺合量や移動量の検出は容易ではなく、また製造工程上、余計な製造設備や工程が増えることになり、生産性、歩留まり、コストに多大なる悪影響を及ぼしていた。
【００７５】
しかし、本実施形態によれば、前述の突起７１０（突起１９２）が第１レンズ７００の凸状表面７０２に当接する位置にて前述の寸法ｎを設定することにより、つまり、突起７１０（突起１９２）が凸状表面７０２に当接して押さえ部材７０５のねじ込みができなくなる位置状態にて、Ｏリング７１２が適切な圧縮比で圧縮されるようＯリング７１２の圧縮スペースの寸法ｎを設計することにより、適切なＯリング７１２の圧縮比管理が可能となる。
従って、単に押さえ部材７０５のねじ込みトルクのみを管理することで、螺合量や移動量の検出は不要となり、従前と比較し製造工程の削減、歩留まりの向上、製造設備の削減などを図ることができる。
【００７６】
尚、この突起７１０（突起１９２）には第１レンズ７００を押圧保持する作用は求められていないため、前述したような肉厚ｍは必要ではなく、比較的薄い肉厚で構成することができる。よって、緕果として第１レンズ７００の広角視野を若干損なうことはあっても、図１７に示した広角視野を示す線７２５が示す通り、図１６のものと比較しても良好な広角視野特性を確保していることが明らかである。
【００７７】
次に、車載用の撮像装置として本実施形態のものを設計した揚合の部材の寸法について説明する。
図１８は、一般的に差圧試験と呼ばれるものであるが、所定の媒体による圧力を第１の経路にて本実施形態の撮像装置の前面部分に印加すると共に、第２の経路にてリファレンスの部材に印加した場合の両経路における圧力差をＯリング７１２の径を変化させて試験した結果を示すものである。この試験にて縦軸の差圧値が小さい程良好な封止性能が得られることを示している。尚、同一径については５回計測を行っている。
一般に車載用の撮像装置としては上記差圧試験にて５回の試験を実施し何れも１０Ｐａ以下であることが求められている。従って、図１８よりＯリング７１２の径はＯ．５ｍｍ以上で設計する必要がある。一方、Ｏリング７１２の径を３．０ｍｍ以上とすると、このＯリングの圧縮比を１５％から３５％にするために必要な押さえ部材７０５による押圧力が第１レンズ７００の第２径部７０４の厚みにも影響を受けるが一般的な光学ガラスレンズのガラス強度の３５０＊１０８Ｎ／ｍ２を超えることとなり強度の面からＮＧとなる。従って、Ｏリング７１２の径は０．５ｍｍ以上３．０ｍｍ以下とするのが好ましい。
【００７８】
また、図１８より明らかなようにＯリング７１２の径が１．４ｍｍ以上となるとほぼ測定値差動圧は０近傍で落ち着く。このため、敢えて１．４ｍｍ以上の径を有するより高価なＯリングを選択することは好ましくない。また、押圧力も径が大きくなるにつれ大きな値が求められるため各種部材も強度あるものにする必要があるので、各種部材のコストアップや装置全体の大型化が懸念される。
【００７９】
また、第１レンズ７００の平坦部７０３の長さｌは、所定長さ以下であると第１レンズ７００の製造時、又は運搬時の衝撃等により破損し易くなるという問題を有しているため、０．７ｍｍ以上で設計することが求められている。一方、Ｏリング７１２は押圧され変形した際に、図１７に示したように第１レンズ７００の第１径部７０１と押さえ部材７０５の内周面とにそれぞれ密接に接するよう変形するほうが、変形しても接しない揚合と較べ密閉封止性能が薯しく向上する。
従って、Ｏリング７１２はより好ましくは０．７ｍｍ以上１．４ｍｍ以下とすることが求められている。
【００８０】
ここで、より小型の撮像装置とするべく０．６ｍｍのＯリング７１２にて設計した場合の例を説明する。圧縮比を１５％で管理するとＯリング７１２の光軸方向の厚さｎは０．４３５ｍｍになる。
また、Ｏリング７１２の光軸と直交する方向の厚さＺ（平坦部７０３のｌ’相当）は、
Ｚ＊ｎ＞（０．６／２）２πよりＺ＞０．６５ｍｍとなる。
ここで、押さえ部材の肉厚ｍは、
ｍ＝√０．９１＊ｌ’で規定される。
従って、第１レンズ７００の立上げ部７０１に必要な最短の長さｌは、
１＝ｎ＋ｍより、ｌ＝０．４３５＋０．７６９１＝１．２０４１ｍｍとなる。
従って、立上げ部７０１の立上げ長は少なくとも１．２０４２ｍｍ以上とすることがより好好ましい。
【００８１】
ここで、Ｏリング７１２の内径は、第１レンズ７００の第１径部７０１の外形より大きく、Ｏリング７１２の外形は、押さえ部材７０５の内径より小さく設計することにより、押さえ部材７０５を鏡筒７０６にねじ込んだ後においても、Ｏリング７１２は、押さえ部材７０５の内壁面や、第１レンズ７００の第１径部７０１と平坦部７０３で形成されるコバ部との間で、大きな摩擦力を発生するような接触を避けるようにしていることは言うまでもない。この結果、Ｏリング７１２には不必要な回転方向の摩擦力やねじれの力が発生せず、ダメージも受けないため、長期にわたって経時変化を生じにくくすることが可能となる。
【００８２】
尚、上記の実施形態では、Ｏリング７１２の圧縮比を管理するために押さえ部材７０５の先端に突起７１０（突起１９２）を設けているが、本発明はこれに限定されるものではなく、図１６に示した押さえ部材のように先端に突起を設けないものであってもよく、更に、押さえ部材７０５が螺合固定する鏡筒７０６の螺合ネジ部分の近傍に押さえ部材７０５のねじ込み量を規制する部材を設けたものとしてもよい。
また、シーリング材としてＯリングを用いた例を示したが、本例はこれに限定されるものではなく、液状やテープ状の形態のシーリング材であってもよいことは言うまでもない。
【００８３】
以下、第１実施例の撮像装置において封止をポイントとしたものをまとめる。本例の撮像装置は、開口を備えたカメラケースと、鏡筒に収納されたレンズ群と、環状の押さえ部材により規定された開口を有する円筒形状の押さえ部材と、を備え、前記押さえ部材を前記鏡筒の外周部に螺合固定することにより前記レンズ群のうち１枚目のレンズによって前記押さえ部材の開口が封止され、前記螺合固定された押さえ部材をその先端部が前記カメラケースの開口から外部に突出するように前記カメラケースに収容固定することにより、前記カメラケースの開口が封止されるようにしたことを特徴とする。
【００８４】
また、本例の撮像装置は、前記鏡筒に収納されたレンズ群が広角レンズ群であり、前記押さえ部材は前記広角レンズ群のうち１枚目のレンズによって前記押さえ部材の開口が封止され、且つ該レンズの凸状表面が該押さえ部材の開口から該押さえ部材の外方に突出するように前記鏡筒の外周部に螺合固定されるとともに、該押さえ部材の内周が前記レンズ群のうちの１枚目のレンズの外周部に沿って延在配置されたことを特徴とする。
【００８５】
また、本例の撮像装置は、前記鏡筒に収納されたレンズ群が広角レンズ群であり、前記押さえ部材の外周に段部が設けられ、前記押さえ部材は前記広角レンズ群のうち１枚目のレンズの被写体側の凸状の面と撮像側の面との間に形成された側面に第１の段部と第２の段部とを形成するように設けた突出部を備え、前記１枚目のレンズは前記第２の段部により前記鏡筒に位置決め収納され、前記押さえ部材は前記１枚目のレンズの前記第１の段部に配置した第１のシーリング材と該１枚目のレンズとによって該押さえ部材の開口が密閉封止され、且つ該１枚目のレンズの前記被写体側の凸面が該押さえ部材の開口から該押さえ部材の外方に突出するように前記鏡筒の外周部に螺合固定され、前記螺合固定された押さえ部材はその先端を前記カメラケースの開口から突出させ、且つ該押さえ部材の前記段部に配置した第２のシーリング材と該螺合固定された押さえ部材とによって該カメラケースの開口が密閉封止されるように該カメラケースに収容固定されたことを特徴とする。
【００８６】
また、本例の撮像装置は、前記押さえ部材と前記１枚目のレンズとの間に密閉封止をするシーリング材を配置すると共に、前記押さえ部材を前記鏡筒に螺合固定する前の状態では、前記押さえ部材と前記１枚目のレンズとのクリアランスが前記シーリング材の幅よりも大きく、前記押さえ部材を前記鏡筒に螺合固定した後の状態では、前記シーリング材が押圧変形して前記クリアランスが閉鎖される寸法関係を有することを特徴とする。
【００８７】
また、本例の撮像装置は、前記押さえ部材と前記カメラケースとの間に密閉封止をするシーリング材を配置すると共に、前記押さえ部材を前記鏡筒に螺合固定する前の状態では、前記押さえ部材と前記カメラケースとのクリアランスが前記シーリング材の幅よりも大きく、前記押さえ部材を前記鏡筒に螺合固定した後の状態では、前記シーリング材が押圧変形して前記クリアランスが閉鎖される寸法関係を有することを特徴とする。
【００８８】
また、本例の撮像装置は、開口を備えたカメラケースと、鏡筒に収納された広角レンズ群と、環状の押さえ部材により規定された開口を有する円筒形状の押さえ部材と、前記押さえ部材の外周に設けた段部と、前記広角レンズ群のうちの１枚目のレンズの被写体側に設けた所定の径を有する立上げ部と、該立上げ部に連続して設けた光軸と略直交する平坦部と、を備え、前記押さえ部材は、前記１枚目のレンズの前記平坦部を押圧すると共に該１枚目のレンズによって該押さえ部材の開口が封止され且つ該１枚目のレンズの凸状表面が該押さえ部材の開口から該押さえ部材の外方に突出するように前記鏡筒の外周部に螺合固定され、前記螺合固定された押さえ部材をその先端部を前記カメラケースの開口から突出させ且つ該押さえ部材の前記段部によって該カメラケースの開口が封止されるように該カメラケースに収容固定されたことを特徴とする。
【００８９】
また、本例の撮像装置は、前記押さえ部材と前記１枚目のレンズとの間に配置した密閉封止をするシーリング材と、前記押さえ部材の先端に設けた前記１枚目のレンズの被写体側表面に当接する突起と、を備え、前記突起と前記１枚目のレンズの撮像表面との当接により、前記シーリング材の前記押さえ部材による圧縮比を設定することを特徴とする。
また、本例の撮像装置は、前記シーリング材の径を０．５ｍｍ以上３．０ｍｍ以下としたことを特徴とする。
また、本例の撮像装直は、前記シーリング材の径を０．７ｍｍ以上１．４ｍｍ以下としたことを特徴とする。
また、本例の撮像装置は、前記平坦部の長さを０．７ｍｍ以上としたことを特徴とする。また、本例の撮像装置は、前記立上げ部の立上げ長を１．１ｍｍ以上としたことを特徴とする。
【００９０】
また、本例の撮像装置は、開口を備えたカメラケースと、相互に位直決めされたレンズ群を収納する鏡筒と、前記鏡筒の外周部する円筒形状の押さえ部材と、前記押さえ部材により規定された開口と、を有するレンズアッシと、を備え、前記押さえ部材を前記鏡筒の外周部に螺合固定することにより前記レンズ群のうち１枚目のレンズによって前記押さえ部材の開口が封止され、前記螺合固定された押さえ部材をその先端部が前記カメラケースの開口から外部に突出するように前記カメラケースに収容固定することにより、前記カメラケースの開口が封止されるようにしたことを特徴とする。
【００９１】
また、本例の撮像装置は、前記カメラケースの開口を有する前ケースと、後ケースと、により該カメラケースを構成し、前記レンズアッシを前記前ケースの後方から挿入した後、該後方からネジ止め固定すると共に、該前ケースと前記後ケースとを、該後ケースの該後方からネジ止め固定することにより、一方向から組み付け可能とすることを特徴とする。
【００９２】
（第１の実施形態に関する変形例１）
第１の実施形態に関して、Ｏリングを用いた密閉封止構造でありながら広角の撮像を可能にした変形例について説明する。
図１９は、第１の実施形態の中の図１７のシーリング材であるＯリング７１２の圧縮比を押さえ部材７０５の先端に設げた突起７１０によって管理するものと異なり、鏡筒７０６に設けた規制部７１４によりＯリング７１２の圧縮比を管理する例を示す図である。
尚、図１９中、図１６、図１７と同一の符合を付加したものは同一の内容を示すため、説明を省略する。また、７１６は押さえ部材７０５に設けた段部である（図１６、図１７では図示を省略）。
【００９３】
図１９は、図１７と同様に立上げ部７２１を有する第１レンズ７００を用いたものであるが、前述のように押さえ部材７０５の先端に押さえ部材７０５の螺合量等を規制する突起７１０を備えていない。代わりに押さえ部材７０５が所定量以上ねじ込まれるのを防止するため、鏡筒７０６に押さえ部材７０５の下端面に接する規制部７１４を備えている。
この規制部７１４により押さえ部材７０５のねじ込み量が一定に規制され、結果としてＯリング７１２の圧縮比が一定に管理されることになる。
また、図１９では、押さえ部材７０５の先端に切欠き部７１３を有している。この切欠き部７１３により、切欠き部がない場合（図１８にて点線にて示す）と比較して第１レンズ７００の広角視野をより広く確保することができる。また言い換えると、この切欠き部７１３を備えることにより第１レンズ７００の立上げ部７０１の立上げ長をより小さくすることが可能となり、装置の小型化が図られる。
【００９４】
また、図１９に示す例では、押さえ部材７０５の内周面と第１レンズ７００の第１径部７０１の側面との距離ｘと、押さえ部材７０５の内周面と第１レンズ７００の第２径部７０４の側面との距離ｙとを、図１６や図１７のものより広く確保している。
このｘ及びｙにより生じる押さえ部材７０５と第１レンズ７００との間のスペーシングにより、装置から突出している押さえ部材７０５の外周部が何らかの外力Ｆを受けた場合に、押さえ部材７０５のみ変形を許容しつつ、精度の保持が求められる第１レンズ７００に対し外力の影響を緩和するという作用効果を奏することができる。
なお、このスペーシングの量は、押さえ部材７０５の材質により適宜設定されるものである。また、ｘとｙ双方スペーシングを確保することがより好ましいが、一方を確保したものであっても相応の作用効果があり、本例は一方を確保したものであってもよいことは言うまでもない。
【００９５】
（第１の実施形態に関する変形例２）
第１の実施形態に関して、Ｏリングを用いた密閉封止構造でありながら広角の撮像を可能にした変形例について説明する。
図２０は、第１の実施形態の中の図１７のシーリング材であるＯリング７１２の圧縮比を押さえ部材７０５の先端に設けた突起７１０によって管理するものと同様にこの突起７０５により０リング７１２の圧縮比を管理するものであるが、図１９で示した変形例と同様に外力による第１レンズ７００の精度の狂いを緩和する構造を備えた変形例を示す図である。
尚、図２０中、図１６、図１７、図１９と同一の符合を付加したものは同一の内容を示すため、説明を省略する。
図２０のものは、押さえ部材７０５の被写体側先端を光軸から離れるに従ってなだらかに傾斜する傾斜面７１８を有している。この傾斜面により押さえ部材７０５に何らかの物体が衝突した場合であってもその衝突を傾斜面７１８にて上手く逃がすことが可能となり、押さえ部材７０５自体の破壊を防ぐことは勿論のこと、第１レンズ７００への影響についても著しい低減を図ることが可能となる。
【００９６】
また、図２０のものは、図１９に示した例と同様に、押さえ部材７０５の内周面と第１レンズ７００の第１径部７０１の側面との距離ｘと、押さえ部材７０５の内周面と第１レンズ７００の第２径部７０４の側面との距離ｙとを、図１６や図１７のものより広く確保している。
このｘ及びｙにより生じる押さえ部材７０５と第１レンズ７００との間のスペーシングにより、装置から突出している押さえ部材７０５の外周部が何らかの外力Ｆを受けた楊合に、押さえ部材７０５のみ変形を許容しつつ、精度の保持が求められる第１レンズ７００に対し外力の影響を緩和するという作用効果を奏することができる。
なお、このスペーシングの量は、押さえ部材７０５の材質により適宜設定されるものである。また、ｘとｙ双方スペーシングを確保することがより好ましいが、一方を確保したものであっても相応の作用効果があり、本例は一方を確保したものであってもよいことは言うまでもない。
【００９７】
（第１の実施形態に関する変形例３）
第１の実施形態に関して、Ｏリングを用いた密閉封止構造でありながら広角の撮像を可能にした変形例について説明する。
図２１は、第１の実施形態の中の図１７のシーリング材であるＯリング７１２の圧縮比を押さえ部材７０５の先端に設けた突起７１０によって管理するものと異なり、押さえ部材７０５自体に設けた凹部７２０によりＯリング７１２の圧縮比を管理する例を示す図である。
尚、図２１中、図１６、図１７、図１９、図２０と同一の符合を付加したものは同一の内容を示すため、説明を省略する。
【００９８】
図２１は、図１７と同様に立上げ部７２１を有する第１レンズ７００を用いたものであるが、前述のように押さえ部材７０５の先端に押さえ部材７０５の螺合量等を規制する突起７１０を備えていない。代わりに押さえ部材７０５に備えた凹部７２０の光軸方向の深さｚによってＯリング７１２の圧縮比を管理するものである。
また、この凹部７２０は斜面７１９を備えており、この斜面７１９により押さえ部材７０５のねじ込み時におけるＯリング７１２のねじれなどの変形を防ぐことができる。
なお、図２１に示したものに代えて、第１レンズ７００にＯリング７１５の圧縮比を管理する凹部を設け、押さえ部材７０５の第１レンズ７００を押圧する面を平坦に構成してもよい。
【産業上の利用可能性】
【００９９】
本発明によれば、特に耐環境性能を向上した撮像装置を提供することができる。
【図面の簡単な説明】
【０１００】
【図１】実施の形態に係る撮像装置の断面図である。
【図２】実施の形態に係る撮像ユニットの斜視図である。
【図３】実施の形態に係る撮像ユニットの正面図である。
【図４】実施の形態に係る前ケースに撮像ユニットを組み込んだ斜視図である。
【図５】実施の形態に係る撮像ユニットの分解斜視図である。
【図６】実施の形態に係る撮像ユニットの他の分解斜視図である。
【図７】実施の形態に係る撮像ユニットのＡ−Ａ断面図である。
【図８】実施の形態に係る撮像装置本体の断面図である。
【図９】実施の形態に係る前ケースの開口を押さえ部材で封止すると共に押さえ部材の開口を第１レンズで封止した断面図である。
【図１０】撮像装置本体の開口を第１レンズにて封止した断面図であり、押さえ部材で押さえる前の状態である。
【図１１】撮像装置本体の開口を第１レンズにて封止した断面図であり、押さえ部材で押さえた後の状態である。
【図１２】（ａ）、（ｂ）、（ｃ）、（ｄ）はいずれも図１１に対応する他の実施例を示す。
【図１３】（ａ）、（ｂ）、（ｃ）、（ｄ）はいずれも図１１に対応する他の実施例を示す。
【図１４】図１３の実施例の利点を示す比較例である。
【図１５】Ｏリングで封止した場合のレンズと押さえ部材の強度関係を示す作用図である。
【図１６】Ｏリングを用いずに密閉封止ではなく単なる封止をした構造の撮像装置を示した図である。
【図１７】十分な密閉封止性能を確保しつつ且つ、高い広角視野を実現できることを説明する図である。
【図１８】Ｏリングの径を変化させて差圧試験を行った結果を示す図である。
【図１９】鏡筒に設けた規制部によりＯリングの圧縮比を管理する例を示す図である。
【図２０】外力による第１レンズの精度の狂いを緩和する構造を備えた変形例を示す図である。
【図２１】押さえ部材自体に設けた凹部によりＯリングの圧縮比を管理する例を示す図である。
【符号の説明】
【０１０１】
１  撮像装置
２  前ケース
３  後ケース
１０  撮像ユニット
２０  撮像装置本体
２３  第１レンズ
３０  押さえ部材
３２  鏡筒
３４、５４  Ｏリング
【図１】
2004295119.tif 000003
【図２】
2004295119.tif 000004
【図３】
2004295119.tif 000005
【図４】
2004295119.tif 000006
【図５】
2004295119.tif 000007
【図６】
2004295119.tif 000008
【図７】
2004295119.tif 000009
【図８】
2004295119.tif 000010
【図９】
2004295119.tif 000011
【図１０】
2004295119.tif 000012
【図１１】
2004295119.tif 000013
【図１２】
2004295119.tif 000014
【図１３】
2004295119.tif 000015
【図１４】
2004295119.tif 000016
【図１５】
2004295119.tif 000017
【図１６】
2004295119.tif 000018
【図１７】
2004295119.tif 000019
【図１８】
2004295119.tif 000020
【図１９】
2004295119.tif 000021
【図２０】
2004295119.tif 000022
【図２１】
2004295119.tif 000023